(57)【要約】【課題】周辺空間のスペクトルが変化した場合であっても、光が照射される空間や対象物の見え方を所望の見え方に近い状態で維持することが可能な照明装置および照明システムを得る。【解決手段】照明装置１００は、光源部１３０からの光を外部に照射する照射口１２２を有し、光源部１３０が収容される本体部１２０を備える。また、照射口１２２から照射される光の照射領域から外れた位置に配置され、本体部１２０の周辺空間の計測スペクトル３７０のデータを取得する計測部３４０と、所望のスペクトル３５０，３６０のデータを格納する記憶部３１０を備える。さらに、計測スペクトル３７０のデータおよび所望のスペクトル３５０，３６０のデータに基づいて演算スペクトル３８０を演算する演算部３２０と、照射口１２２から照射される光のスペクトルを演算スペクトル３８０に近づけるように制御する制御部３３０を備える。【選択図】図１１
2019160424.tif 000002
【特許請求の範囲】
【請求項１】
光源部と、
前記光源部からの光を外部に照射する照射口を有し、前記光源部が収容される本体部と、
前記照射口から照射される光の照射領域から外れた位置に配置され、前記本体部の周辺空間の計測スペクトルのデータを取得する計測部と、
所望のスペクトルのデータを格納する記憶部と、
前記計測スペクトルのデータおよび前記所望のスペクトルのデータに基づいて演算スペクトルを演算する演算部と、
前記照射口から照射される光のスペクトルを前記演算スペクトルに近づけるように制御する制御部と、
を備えることを特徴とする照明装置。
【請求項２】
前記制御部は、前記照射口から照射される光のスペクトルの強度が所定の閾値の範囲に収まるように制御することを特徴とする請求項１に記載の照明装置。
【請求項３】
前記照射口から照射される光のスペクトルの制御にフィルタが用いられることを特徴とする請求項１または請求項２に記載の照明装置。
【請求項４】
前記フィルタを複数備えることを特徴とする請求項３に記載の照明装置。
【請求項５】
前記照射口から照射される光のスペクトルの制御に、発光形態の異なる複数の発光素子が用いられることを特徴とする請求項１〜４のうちいずれか１項に記載の照明装置。
【請求項６】
請求項１〜５のうちいずれか１項に記載の照明装置を複数備えることを特徴とする照明システム。
【発明の詳細な説明】
【技術分野】
【０００１】
本開示は、照明装置および照明システムに関する。
【背景技術】
【０００２】
従来、照明装置として、色温度２５００〜３２００Ｋの白色光を発する白色光発光部を有する発光ユニットの上面に、可視光選択吸収層を配置させたものが知られている（例えば、特許文献１参照）。
【０００３】
この特許文献１では、５７５〜６００ｎｍの波長域に吸収ピークを有する可視光選択吸収材料を、透光性材料に含有・分散させることで可視光選択吸収層を形成している。そして、このような可視光選択吸収層を用いることで、白色光発光部から発光される色温度２５００〜３２００Ｋの白色光から、波長５７５〜６００ｎｍの光の一部が可視光選択吸収材料により吸収された後の光が外部に発せられるようにしている。
【０００４】
こうすることで、高い演色性を有し、食品や衣類のような商品を陳列する店舗用の光源として好適な照明装置が得られるようにしている。
【先行技術文献】
【特許文献】
【０００５】
【特許文献１】特開２０１０−２６７５７１号公報
【発明の概要】
【発明が解決しようとする課題】
【０００６】
しかしながら、上記従来の照明装置では、照射される光のスペクトルを変えることができないため、周辺空間のスペクトルが変化した場合には、光が照射される対象物の見え方が変化してしまうことがある。また、従来のように、照射される光のスペクトルを変えることができない照明装置を用いて店舗等の空間を照らした場合、窓やドアから射し込まれる外光等の影響によって、照明空間のスペクトル（照明空間の見え方）が変化してしまうことがある。
【０００７】
このように、上記従来の技術では、光が照射される空間や対象物の見え方を所望の見え方で維持することが難しかった。
【０００８】
そこで、本開示は、周辺空間のスペクトルが変化した場合であっても、光が照射される空間や対象物の見え方を所望の見え方に近い状態で維持することが可能な照明装置および照明システムを得ることを目的とする。
【課題を解決するための手段】
【０００９】
本開示にかかる照明装置は、光源部と、前記光源部からの光を外部に照射する照射口を有し、前記光源部が収容される本体部と、を備えている。また、照明装置は、前記照射口から照射される光の照射領域から外れた位置に配置され、前記本体部の周辺空間の計測スペクトルのデータを取得する計測部と、所望のスペクトルのデータを格納する記憶部と、を備えている。さらに、照明装置は、前記計測スペクトルのデータおよび前記所望のスペクトルのデータに基づいて演算スペクトルを演算する演算部と、前記照射口から照射される光のスペクトルを前記演算スペクトルに近づけるように制御する制御部と、を備えている。
【００１０】
また、本開示にかかる照明システムは、前記照明装置を複数備えている。
【発明の効果】
【００１１】
本開示によれば、周辺空間のスペクトルが変化した場合であっても、光が照射される空間や対象物の見え方を所望の見え方に近い状態で維持することが可能な照明装置および照明システムを得ることができる。
【図面の簡単な説明】
【００１２】
【図１】一実施形態にかかる照明システムを模式的に示す斜視図である。
【図２】一実施形態にかかるスポットライトの外観を模式的に示す斜視図である。
【図３】一実施形態にかかるスポットライトを下側から見た分解斜視図である。
【図４】一実施形態にかかるスポットライトの本体部の外観を模式的に示す斜視図である。
【図５】一実施形態にかかるスポットライトの本体部を下側から見た分解斜視図である。
【図６】一実施形態にかかるスポットライトの本体部を上側から見た分解斜視図である。
【図７】一実施形態にかかるスポットライトで用いられるフィルタを模式的に示す図であって、（ａ）は平面図、（ｂ）は分解斜視図である。
【図８】一実施形態にかかるダウンライトを天井の貫通孔に埋め込み固定した状態を模式的に示す斜視図である。
【図９】一実施形態にかかるダウンライトを天井の貫通孔に埋め込み固定する前の状態を模式的に示す斜視図である。
【図１０】一実施形態にかかるダウンライトを模式的に示す分解斜視図である。
【図１１】一実施形態にかかる照明装置のブロック図である。
【図１２】一実施形態にかかる照明装置の制御処理の一例を示すフローチャートである。
【図１３】一実施形態にかかる照明装置の制御処理の第１変形例を示すフローチャートである。
【図１４】一実施形態にかかる照明装置の制御処理の第２変形例を示すフローチャートである。
【発明を実施するための形態】
【００１３】
以下、本開示にかかる照明装置について、図面を参照しながら詳細に説明する。なお、以下で説明する実施形態は、包括的または具体的な例を示すものである。以下の実施形態で示される数値、形状、材料、構成要素、構成要素の配置位置および接続形態、ステップ、ステップの順序などは、一例であり、本開示に限定する主旨ではない。また、以下の実施形態における構成要素のうち、最上位概念を示す独立請求項に記載されていない構成要素については、任意の構成要素として説明される。
【００１４】
また、以下では、照明システムとして、スーパーマーケット等の店舗の売場空間を照らす照明装置と、売場空間に配置された商品を照らす照明装置と、を備えるものを例示する。また、売場空間を照らす照明装置として天井に埋め込まれるダウンライトを例示し、売場空間に配置された商品を照らす照明装置としてショーケースの天壁に取り付けられたスポットライトを例示する。そして、各照明装置の光源部としてＬＥＤ素子を用いたものを例示する。
【００１５】
［照明システムの構成］
まず、本実施形態にかかる照明システム１０の構成について、図１に基づき説明する。ここで、図１は、照明システムを模式的に示す斜視図である。
【００１６】
照明システム１０は、図１に示すように、ショーケース１３の天壁１３ａに取り付けられたスポットライト１００と、スーパーマーケット等の店舗１１の天井１５に埋め込まれるダウンライト（照明装置）２００と、を備えている。
【００１７】
スポットライト１００は、ショーケース１３の下方奥側を照らすように、ショーケース１３の天壁１３ａに複数取り付けられており、各スポットライト１００が商品陳列棚１３ｂに配置された商品１４を照らしている。
【００１８】
一方、ダウンライト２００は、平面視で略円形をしており、店舗１１の天井１５に埋め込まれている。本実施形態では、複数のダウンライト２００が、下方を照らすようにした状態で店舗１１の天井１５に埋め込まれており、店舗１１の売場空間１２を照らしている。
【００１９】
このように、本実施形態にかかる照明システム１０では、２種類の照明装置（スポットライト１００およびダウンライト２００）が用いられており、各照明装置が売場空間１２内に複数設置されている。
【００２０】
また、売場空間１２は、用途や好みに応じて所望の光環境（色味や明るさなど）となるように照明されている。すなわち、売場空間１２は、ダウンライト２００によって、赤味を帯びた空間や青味を帯びた空間等、所望の光環境となるように照明されている。例えば、赤味を帯びた売場空間１２とする場合、赤色系の波長の強度が高いスペクトルの光を照射するダウンライト２００が用いられる。一方、青味を帯びた売場空間１２とする場合、青色系の波長の強度が高いスペクトルの光を照射するダウンライト２００が用いられる。このように、売場空間１２を所望の光環境とするのに適したスペクトルの光を照射するダウンライト２００が店舗１１の天井１５に埋め込まれている。
【００２１】
また、本実施形態では、照明システム１０は、複数種類のスポットライト１００を備えている。すなわち、店舗１１には、所定のスペクトルの光を照射するスポットライト１００と、このスポットライト１００とは異なるスペクトルの光を照射するスポットライト１００と、が設置されている。そして、種類の異なるスポットライト１００は、商品１４の種類や色等によって使い分けられている。具体的には、商品１４ごとにより最適な見え方となるスポットライト１００が用いられている。
【００２２】
しかしながら、商品１４に照射される光の最適なスペクトルは、商品１４の種類によっても異なるが、売場空間１２の光環境によっても異なるものである。
【００２３】
そのため、商品１４を照らすスポットライト１００から照射される光のスペクトルを、当該商品１４にとって最適なスペクトルとなるように設定したとしても、売場空間１２の光環境を異ならせると、商品の見え方が変化してしまう。
【００２４】
例えば、昼光色の光環境で赤色の肉類を照射する場合に最適なスペクトルとなるように設定したスポットライト１００を、赤味を帯びた売場空間１２で用いると、売場空間１２が赤味がかっているため、肉類の見え方がぼやけてしまう。すなわち、肉類の見え方が昼光色の環境下とは異なってしまい、最適な見え方から外れてしまう。
【００２５】
そのため、本実施形態にかかる照明システム１０では、スポットライト１００から照射される光のスペクトルを自動で制御できるようにし、商品（対象物）１４の見え方が好ましい見え方（所望の見え方）に近い状態で維持されるようにしている。すなわち、商品（対象物）１４が配置される周辺空間の光環境に応じて、スポットライト１００から照射される光のスペクトルを調整できるようにしている。
【００２６】
また、売場空間１２の光環境を所望の状態とするために、ダウンライト２００から照射される光のスペクトルを所望のスペクトルに設定しただけでは、ドアや窓から射し込まれる外光による光環境の変化を抑制することができない。例えば、所望の色味を帯びた売場空間１２にドアや窓から外光が射し込まれると、売場空間１２の色味が薄れてしまい、光が照射される空間の見え方を所望の見え方に近い状態で維持することができない。
【００２７】
そのため、本実施形態にかかる照明システム１０では、ダウンライト２００から照射される光のスペクトルを自動で制御できるようにし、売場空間（空間）１２の見え方が好ましい見え方（所望の見え方）に近い状態で維持されるようにしている。すなわち、ダウンライト２００から照射される光のスペクトルを自動で調整することで、売場空間１２の光環境が所望の状態に近い状態で維持されるようにしている。
【００２８】
なお、商品（対象物）１４や売場空間（空間）１２の好ましい見え方（所望の見え方）は、例えば、感性評価によって決定することができる。
【００２９】
［スポットライトの構成］
次に、スポットライト（照明装置）１００の構成について、図２〜図７に基づき説明する。
【００３０】
ここで、図２は、スポットライトの外観を模式的に示す斜視図、図３は、スポットライトを下側から見た分解斜視図、図４は、スポットライトの本体部の外観を模式的に示す斜視図、図５は、スポットライトの本体部を下側から見た分解斜視図である。また、図６は、スポットライトの本体部を上側から見た分解斜視図、図７は、スポットライトで用いられるフィルタを模式的に示す図であって、（ａ）は平面図、（ｂ）は分解斜視図である。
【００３１】
なお、以下の説明では、図中のＺ軸＋側を「上側」、図中のＺ軸−側を「下側」と表現する。なお、「下側」は、光照射側とも記載される。
【００３２】
照明装置１００は、図２および図３に示すように、筐体保持部１１０と、筐体（本体部）１２０と、発光モジュール（光源部）１３０と、筒体１４０と、レンズ１５０と、フィルタ１６０と、を備えている。
【００３３】
筐体保持部１１０は、筐体１２０を、当該筐体１２０の姿勢（照明装置１００の光の照射方向）の変更が可能な状態で保持する部材である。本実施形態では、筐体保持部１１０には略半球状の凹部１１１が設けられている。そして、凹部１１１に筐体１２０の一部（主として第一筐体１２０ａ）を収容した状態で、筐体１２０が筐体保持部１１０に保持されている。この筐体保持部１１０は、例えば、樹脂や金属などによって形成することができる。
【００３４】
筐体１２０は、外形が略球状の外郭筐体であり、内部に空間が形成されている（図４〜図６参照）。そして、この筐体１２０の内部には、発光モジュール１３０、筒体１４０、レンズ１５０、およびフィルタ１６０が収容されている。本実施形態では、筐体１２０は、第一筐体１２０ａと第二筐体１２０ｂとを備えている。
【００３５】
第一筐体１２０ａは、筐体１２０のうち、発光モジュール１３０が接続（載置）される支柱１２１を有する部分である。第一筐体１２０ａは略半球状をしており、例えば、アルミニウムなどの金属材料により形成することができる。このように、金属材料により第一筐体１２０ａを形成すれば、第一筐体１２０ａを発光モジュール１３０のヒートシンクとして機能させることができる。なお、第一筐体１２０ａを発光モジュール１３０のヒートシンクとして機能させるためには、第一筐体１２０ａは金属材料により形成されることが望ましいが、樹脂材料により形成されてもよい。また、図示されないが、発光モジュール１３０と支柱１２１との間に放熱部材（放熱用のシリコーンおよび放熱シートなど）が設けられていてもよい。
【００３６】
第二筐体１２０ｂは、筐体１２０のうち、発光モジュール１３０からの光が照射される照射口１２２を有する部分である。第二筐体１２０ｂは略半球状をしており、例えば、ＰＢＴ（ポリブチレンテレフタレート）等の絶縁性樹脂材料によって形成することができる。なお、第二筐体１２０ｂを金属材料によって形成することも可能である。
【００３７】
照射口１２２は、略円形の開口であり、第二筐体１２０ｂの内側からフィルタ１６０によって塞がれている。すなわち、照射口１２２の径は、フィルタ１６０の径よりも小さくなっている。
【００３８】
また、第二筐体１２０ｂの内側であって照射口１２２の周囲には、照射口１２２を囲む環状の段差部１２７（図６に図示）が設けられている。この段差部１２７は、レンズ１５０およびフィルタ１６０の位置規制用（配置）用の段差である。
【００３９】
第一筐体１２０ａと第二筐体１２０ｂとは、上方（Ｚ軸＋側）から挿入されるネジによって固定される。具体的には、第一筐体１２０ａのネジ挿通孔１２３ａに挿通されたネジが第二筐体１２０ｂのボス１２４ａにネジ止めされ、かつ、ネジ挿通孔１２３ｂに挿通されたネジが、ボス１２４ｂにネジ止めされている。こうすることで、第一筐体１２０ａと第二筐体１２０ｂとが固定されるようにしている。
【００４０】
また、発光モジュール１３０は、光源の一例であって、図示せぬ電源供給部から供給される直流電力によって白色等の所定の色（波長）の光を発するものである。発光モジュール１３０から放出された光は、レンズ１５０およびフィルタ１６０をこの順に透過して照明装置１００の外部に照射される。発光モジュール１３０は、具体的には、基板１３１と、発光部１３２と、を備えている。
【００４１】
基板１３１は、下側に位置する第一主面（Ｚ軸−側の主面）を有する略矩形の基板である。そして、基板１３１の第一主面に、発光部１３２を構成するＬＥＤ（発光素子）が複数実装されている。また、基板１３１の第一主面には、複数のＬＥＤに電力を供給するための配線パターンが設けられている。このような基板１３１としては、例えば、セラミック基板、樹脂基板、メタルベース基板などを用いることができる。
【００４２】
発光部１３２は、例えば、基板１３１に実装された複数のＬＥＤと、当該複数のＬＥＤを封止する封止部材とからなるＣＯＢ（Chip On Board）構造の発光部とすることができる。また、発光部１３２が白色光を発するように構成することができる。図４には、平面視形状が略円形の発光部１３２を例示している。
【００４３】
この発光部１３２を構成するＬＥＤとしては、例えば、ＩｎＧａＮ系の材料によって構成された、中心波長（発光スペクトルのピーク波長）が４３０ｎｍ以上４８０ｎｍ以下の窒化ガリウム系のＬＥＤチップを採用することができる。すなわち、青色光を発する青色ＬＥＤを、発光部１３２を構成するＬＥＤとして採用することができる。
【００４４】
また、詳細については図示されないが、発光部１３２を構成する複数のＬＥＤは、主に、ボンディングワイヤによってChip To Chipで接続される。なお、ボンディングワイヤ、および、上述の配線パターンの金属材料としては、例えば、金（Ａｕ）、銀（Ａｇ）、銅（Ｃｕ）等を用いることができる。
【００４５】
発光部１３２を構成する封止部材は、例えば、波長変換材としての黄色蛍光体粒子を含んだ透光性樹脂材料で構成することができる。透光性樹脂材料としては、例えば、シリコーン樹脂が用いられるが、エポキシ樹脂またはユリア樹脂などが用いられてもよい。また、黄色蛍光体粒子としては、例えば、イットリウム・アルミニウム・ガーネット（ＹＡＧ）系の蛍光体粒子を採用することができる。
【００４６】
なお、発光モジュール１３０を上述の構成とすると、複数のＬＥＤが発した青色光の一部が、封止部材に含まれる黄色蛍光体粒子によって黄色光に波長変換されることとなる。そして、黄色蛍光体粒子に吸収されなかった青色光と、黄色蛍光体粒子によって波長変換された黄色光とが封止部材中で拡散および混合されることとなる。これにより、発光モジュール１３０（封止部材）からは、白色光が照射されることとなる。なお、上記透光性樹脂材料には、演色性を高めることなどを目的として、黄色蛍光体粒子の他に、赤色蛍光体粒子および緑色蛍光体粒子などが含まれるようにしてもよい。
【００４７】
また、封止部材は、このような波長変換機能に加えて、複数のＬＥＤおよびボンディングワイヤを、塵芥、水分、外力等から保護する機能も有している。
【００４８】
また、本実施形態では、発光モジュール１３０は、基板１３１の第二主面（Ｚ軸＋側の主面、第一主面と反対側の主面）において、第一筐体１２０ａの内部に設けられた支柱１２１と接続されている。なお、発光モジュール１３０への給電は、例えば、第一筐体１２０ａに設けられたケーブル挿通孔に挿通されるケーブルにより行うことができる。
【００４９】
筒体１４０は、筐体１２０の内部であって、発光モジュール１３０とレンズ１５０（フィルタ１６０）との間に配置された略円筒状の部材である。具体的には、筒体１４０は、発光モジュール１３０側に設けられた第一開口１４１と、第一開口１４１と連通する開口であって、レンズ１５０側に設けられた開口である第二開口１４２と、を有している。なお、第一開口１４１の内径は、第二開口１４２の内径よりも小さくなっている。そして、発光モジュール１３０が第一開口１４１を塞ぐように配置され、レンズ１５０が第二開口１４２を塞ぐように配置されている。このような筒体１４０は、例えば、ＰＢＴ等の樹脂材料によって形成することができるが、これに限られるものではなく、金属材料等によって形成されていてもよい。
【００５０】
この筒体１４０の外壁には、ネジ挿通孔１４４ａを形成する取付部１４５ａと、ネジ挿通孔１４４ｂを形成する取付部１４５ｂとが設けられている。本実施形態では、筒体１４０は、下方（Ｚ軸−側）から挿入されるネジによって第一筐体１２０ａに取り付けられている。具体的には、ネジ挿通孔１４４ａに挿通されるネジが第一筐体１２０ａのネジ穴（図示せず）にネジ止めされ、かつ、ネジ挿通孔１４４ｂに挿通されるネジが第一筐体１２０ａのネジ穴（図示せず）にネジ止めされている。こうして、筒体１４０が第一筐体１２０ａに取り付けられている。
【００５１】
本実施形態では、筒体１４０の第一開口１４１の内径は、発光部１３２の径よりもわずかに大きくなっている。また、筒体１４０の第二開口１４２の内径（直径）は、レンズ１５０の直径よりも小さく、フィルタ１６０の直径よりもわずかに小さくなっている。
【００５２】
したがって、筐体１２０の内部に、発光モジュール１３０、筒体１４０、レンズ１５０およびフィルタ１６０を収容した状態では、筒体１４０に、発光モジュール１３０、筒体１４０およびレンズ１５０により囲まれる内部空間１４３が形成されることとなる。
【００５３】
レンズ１５０は、特定の光学特性を有する光学部材であり、本実施形態では、レンズ１５０として、発光モジュール１３０からの光を拡散（または平行化）するための凸レンズ（フレネルレンズ）が用いられている。このレンズ１５０の平面視形状は、略円形（一部が外周側から切り欠かれた円形）であり、レンズ１５０の入射面（Ｚ軸＋側の面）には、環状のプリズムが設けられている。
【００５４】
このレンズ１５０は、例えば、アクリル（ＰＭＭＡ）やポリカーボネート（ＰＣ）等の樹脂材料により形成することができる。なお、レンズ１５０に、レンズ１５０から照射される光のムラを抑制するためのディンプルが設けられていてもよい。この場合、ディンプルは、例えば、レンズ１５０の照射面（Ｚ軸−側の面）に設けられる。
【００５５】
本実施形態では、レンズ１５０は、発光モジュール１３０とフィルタ１６０との間に配置されている。また、レンズ１５０は、第二筐体１２０ｂの段差部１２７に沿って配置されている。すなわち、レンズ１５０は、発光モジュール１３０とフィルタ１６０との間に配置した状態では、レンズ１５０のＸ−Ｙ平面上の位置が段差部１２７によって規制されている。
【００５６】
また、レンズ１５０は、筒体１４０の第二開口１４２を塞ぐようにした状態で、筒体１４０の光照射側に配置されている。このレンズ１５０のＺ軸方向の位置は、筒体１４０の第二開口１４２を形成する端部１４７が上側（Ｚ軸＋側）からレンズ１５０に当接することにより規制されている。なお、レンズ１５０は、発光モジュール１３０とフィルタ１６０との間に、発光部１３２と対向した状態で配置されている。
【００５７】
また、本実施形態では、フィルタ１６０として、筐体１２０内の発光モジュール１３０と照射口１２２との間に設けられ、発光モジュール１３０からの光の一部の波長成分をカットする光学フィルタが用いられている。このフィルタ１６０は、照射口１２２を筐体１２０の内側から塞ぐように配置されており、フィルタ１６０によって、発光モジュール１３０からの光の一部の波長成分が吸収されるようにしている。本実施形態では、フィルタ１６０は、一部が外周側から切り欠かれた円形板状をしている（図５および図６参照）。しかしながら、フィルタ１６０の形状は、これに限られるものではなく、矩形板状などその他の形状であってもよい。また、フィルタ１６０の径は、レンズ１５０の径よりも小さくなっている。すなわち、フィルタ１６０のレンズ１５０と対向する面の面積は、レンズ１５０のフィルタ１６０と対向する面の面積よりも小さくなっている。
【００５８】
また、本実施形態では、フィルタ１６０は、段差部１２７のうち、レンズ１５０が配置される段差よりも照射口１２２側に位置する段差に沿って配置されている。そして、フィルタ１６０は、レンズ１５０と照射口１２２との間に配置されている。すなわち、フィルタ１６０は、当該フィルタ１６０のＸ−Ｙ平面上の位置が段差部１２７によって規制された状態で、レンズ１５０と照射口１２２との間に配置されている。また、フィルタ１６０のＺ軸方向の位置は、レンズ１５０が上側（Ｚ軸＋側）からフィルタ１６０に当接することによって規制されている。なお、レンズ１５０とフィルタ１６０との間の距離（あそび）は、本実施形態では約０．５ｍｍとしている。
【００５９】
このフィルタ１６０は、例えば、銅（Ｃｕ）、ニッケル（Ｎｉ）、およびコバルト（Ｃｏ）などの金属元素を含むテトラアザポルフィリン系の色素を含有するアクリル樹脂により形成することができる。このような材料で形成したフィルタ１６０は、うす紫色に見える。なお、フィルタ１６０が含有する色素にニッケルが含まれるようにしてもよい。
【００６０】
フィルタ１６０が、このような色素を含有するようにした場合、主として５８５ｎｍ以上５９５ｎｍ以下の波長成分を吸収する特性を有することとなる。このとき、フィルタ１６０の、５８５ｎｍ以上５９５ｎｍ以下の波長成分の光に対する透過率を５０％以下にするのが好ましい。こうすれば、フィルタ１６０の特性により、スポットライト１００が発する光の、平均演色評価数Ｒａ、肌色の好ましさを示す指数ＰＳ（Preference Index of Skin Color）などを向上させることができる。また、色彩の鮮やかさを示す指数ＦＣＩ（Feeling of Contrast Index）などを向上させることができる。
【００６１】
なお、フィルタ１６０を構成するアクリル樹脂には、紫外線吸収剤（UVA: Ultraviolet Absorber）、光安定剤（HALS: Hindered Amine Light Stabilizer）などが含まれてもよい。また、フィルタ１６０を構成するアクリル樹脂には、アクリル樹脂の劣化を抑制するクエンチャーなどが含まれてもよい。また、フィルタ１６０は、ポリカーボネート樹脂等、他の樹脂材料により形成されてもよい。
【００６２】
なお、本実施形態では、上述したように、照射口１２２から照射される光Ｌ１のスペクトル（照射スペクトル）を変化させることができるようになっている。
【００６３】
このような光Ｌ１のスペクトル（照射スペクトル）の変化は、上述したフィルタ１６０を用いて行うことができる。
【００６４】
例えば、図７に示すように、複数の開口１６１ａが形成された第１フィルタ１６１上に、複数の開口１６２ａが形成された第２フィルタ１６２を相対回動可能に積層することでフィルタ１６０を構成することができる。フィルタ１６０をこのような構成とすれば、第２フィルタ１６２を第１フィルタ１６１に対して相対回動させることで開口１６１ａと開口１６２ａとの連通面積を変えることができる。こうすれば、フィルタ１６０の光が透過する領域の面積が変化するため、一部の波長成分の吸収量が変化し、光Ｌ１のスペクトル（照射スペクトル）が変化することとなる。
【００６５】
なお、フィルタ１６０をこのような構成とすると、フィルタ１６０の光が透過する領域の面積が閾値（最大値と最小値）を有することとなる。したがって、このようなフィルタ１６０を用いて光Ｌ１のスペクトル（照射スペクトル）を変化させる場合、光Ｌ１のスペクトルが強度の閾値を有することとなって、光Ｌ１のスペクトルが強度の閾値の範囲内で変化することとなる。
【００６６】
また、上述した色素を含有するフィルタ１６０の他に、フィルタ１６０がカットする波長成分とは異なる波長成分をカットするフィルタをさらに備えるようにしてもよい。すなわち、互いに異なる波長成分をカットする複数種類のフィルタを備えるようにしてもよい。こうすれば、光Ｌ１のスペクトル（照射スペクトル）をより所望のスペクトルとなるように変化させる（調整する）ことができる。このとき、各フィルタの光が透過する領域の面積が所望の閾値（最大値と最小値）を有するようにすれば、各波長成分が所望の強度の閾値を有することとなって、光Ｌ１のスペクトル（照射スペクトル）を所望の強度の閾値の範囲内で変化させることができる。
【００６７】
また、他のフィルタを用いて光Ｌ１のスペクトル（照射スペクトル）を変化させるようにしてもよい。他のフィルタとしては、例えば、印加される電圧に応じて光透過率が変化するエレクトロクロミックフィルタや波長変換フィルタ等がある。
【００６８】
また、発光形態の異なる素子を用いて光Ｌ１のスペクトル（照射スペクトル）を変化させるようにしてもよい。ここで、発光形態とは、発光色、発光強度（輝度）、色温度等を意味している。
【００６９】
したがって、例えば、基板上に複数の赤色ＬＥＤ、複数の青色ＬＥＤおよび複数の緑色ＬＥＤを実装し、各ＬＥＤの発光強度を調整することで、光Ｌ１（ミキシングされた光）のスペクトルを変化させるようにしてもよい。
【００７０】
また、基板上に複数種類の色温度のＬＥＤを実装し、各ＬＥＤからの発光を調整することで、光Ｌ１（ミキシングされた光）のスペクトルを変化させるようにしてもよい。
【００７１】
さらに、光Ｌ１のスペクトル（照射スペクトル）を変化させる上述の手段を単独で用いてもよいし、複数の手段を適宜組み合わせてもよい。そして、いずれの手段を用いた場合であっても、光Ｌ１のスペクトル（照射スペクトル）を所望の強度の閾値の範囲内で変化させられるようにするのが好ましい。
【００７２】
なお、所望の強度の閾値の範囲は、例えば、感性評価によって見え方がおかしくないと感じる範囲となるように設定することができる。
【００７３】
また、スポットライト１００の筐体（本体部）１２０には、筐体（本体部）１２０の周辺空間の計測スペクトル３７０のデータを取得する計測部３４０が配置されている。この計測部３４０は、照射口１２２から照射される光Ｌ１の照射領域から外れた位置に配置されている。
【００７４】
［ダウンライトの構成］
次に、ダウンライト（照明装置）２００の構成について、図８〜図１０に基づき説明する。
【００７５】
ここで、図８は、ダウンライトを天井の貫通孔に埋め込み固定した状態を模式的に示す斜視図、図９は、ダウンライトを天井の貫通孔に埋め込み固定する前の状態を模式的に示す斜視図、図１０は、ダウンライトを模式的に示す分解斜視図である。
【００７６】
ダウンライト２００は、天井１５の厚さ方向に貫通するように形成された天井孔（貫通孔）１５ｂに埋め込み固定されて、当該ダウンライト２００に設けられた光源部２２０からの光を売場空間１２に向けて照射させるものである（図８および図９参照）。
【００７７】
このダウンライト２００は、本体部２１０と光源部２２０とを有している（図１０参照）。光源部２２０は、本体部２１０内に収容されており、例えば、複数のＬＥＤ（発光素子）と、複数のＬＥＤ（発光素子）が配置されるＬＥＤ基板（発光素子基部）と、で構成することができる。
【００７８】
本体部２１０は、光源部２２０で生じた熱をダウンライト２００の外部へと放出させる放熱部２１１を備えている。この放熱部２１１は、例えば、熱伝導率の高いアルミダイカストを用いて形成することができ、光源部２２０で生じた熱をより効率的に放熱させることができるようになっている。
【００７９】
放熱部２１１は、光源部２２０が熱的に接続される放熱部本体２１１ａと、放熱部本体２１１ａに連設される複数の放熱フィン２１１ｂと、を備えている。
【００８０】
本実施形態では、放熱部本体２１１ａは、略円板状の天壁２１１ｃと、天壁２１１ｃの周縁部から下方（売場空間１２側）に延設される周壁２１１ｄと、を備えている。すなわち、放熱部本体２１１ａには、天壁２１１ｃと周壁２１１ｄとで画成されて下方に開口する収容空間が形成されている。そして、この収容空間内に、後述する第１の反射部２１２が収容されるようにしている。なお、複数の放熱フィン２１１ｂは、天壁２１１ｃの上面から上方に突出するように形成されている。
【００８１】
また、本実施形態では、光源部２２０が、天壁２１１ｃの下面の中央部に固定されている。このように、光源部２２０を天壁２１１ｃの下面の中央部に固定することで、光源部２２０と天壁２１１ｃ（放熱部２１１）とを熱的に接続させている。こうすることで、光源部２２０で生じた熱を、天壁２１１ｃの下面から放熱部２１１に伝達させて、放熱部２１１からダウンライト２００の外部へと放出させるようにしている。なお、複数のＬＥＤが配置されたＬＥＤ基板を光源部２２０として用いた場合、複数のＬＥＤが下方を向くようにした状態でＬＥＤ基板を天壁２１１ｃの下面の中央部に固定されることとなる。
【００８２】
さらに、本体部２１０は、図１０に示すように、光源部２２０が固定された放熱部２１１に取り付けられ、光源部２２０から出射した光が下方側を向くように反射させる第１の反射部２１２を備えている。
【００８３】
第１の反射部２１２は、底壁２１２ａと、底壁２１２ａの外周縁部から上方に延設される外周壁２１２ｂと、を備えている。底壁２１２ａは、本実施形態では、円板状の部材の中央に略円形の開口（下側開口２１２ｅ）が形成された形状をしており、平面視で略円環状をしている。
【００８４】
一方、外周壁２１２ｂは略円筒状をしており、この外周壁２１２ｂは、外径が放熱部本体２１１ａの周壁２１１ｄの内径よりも若干小径となるように形成されている。すなわち、底壁２１２ａおよび周壁２１２ｂは、天壁２１１ｃと周壁２１１ｄとで画成された収容空間内に収容することができる大きさとなるように形成されている。
【００８５】
さらに、底壁２１２ｂの中央に形成された開口（下側開口２１２ｅ）の周縁部からは反射板２１２ｃが延設されている。この反射板２１２ｃは、例えば、ＰＢＴ（ポリブチレンテレフタレート）樹脂等で形成することができ、下方に向かうにつれて拡径する略椀状をしている。そして、この反射板２１２ｃの上下端には、上方に開口する上側開口２１２ｄと下方に開口する下側開口２１２ｅとがそれぞれ形成されている。なお、反射板２１２ｃの下側の湾曲面が反射面２１２ｆとなっている。
【００８６】
また、本体部２１０は第２の反射部２１３を備えている。そして、第１の反射部２１２と第２の反射部２１３との間には、光源部２２０から出射された光を拡散させるレンズ２３０が配置されている。本実施形態では、レンズ２３０は、略円板状をしており、例えば、透光性を有するアクリル樹脂等を用いて形成することができる。
【００８７】
また、第２の反射部２１３は、レンズ２３０の下方に配置されており、レンズ２３０によって拡散された光を下方側に向くように反射させる（配光する）ものである。この第２の反射部２１３は、例えば、鋼板や樹脂等を用いて形成することができる。
【００８８】
そして、第２の反射部２１３は、上側開口２１３ｃおよび下側開口２１３ｄが形成された本体部２１３ａと、本体部２１３ａの下端（下側開口２１３ｄの周縁部）から径方向外側に延設されたフランジ部２１３ｂと、を備えている。なお、本実施形態では、下側開口２１３ｄが、ダウンライト２００の照射口となっている。また、フランジ部２１３ｂの外径は、天井孔１５ｂの内径よりも大きくなるように形成されている。
【００８９】
本体部２１３ａは、下方に向かうにつれて拡径する略椀状をしている補助反射板２１３ｅと、補助反射板２１３ｅの上端に連設されてレンズ２３０が挿入される筒状部２１３ｆと、を備えている。そして、補助反射板２１３ｅの下側の湾曲面が補助反射面２１３ｇとなっている。
【００９０】
さらに、本実施形態では、第２の反射部２１３には、板ばね２４０が取り付けられる板ばね取付部２１３ｈが形成されている。そして、板ばね取付部２１３ｈに取り付けられた板ばね２４０とフランジ部２１３ｂとで天井１５を挟持することで、天井１５の天井孔１５ｂにダウンライト２００が埋め込み固定されるようにしている。
【００９１】
このダウンライト２００も、スポットライト１００と同様に、下側開口（照射口）２１４ｄから照射される光Ｌ１のスペクトル（照射スペクトル）を変化させることができるようになっている。光Ｌ１のスペクトル（照射スペクトル）は、スポットライト１００で説明した手段と同様の手段を用いて変化させることができる。
【００９２】
また、ダウンライト２００の本体部２１０には、本体部２１０の周辺空間の計測スペクトル３７０のデータを取得する計測部３４０が配置されている。この計測部３４０は、下側開口（照射口）２１３ｄから照射される光Ｌ１の照射領域から外れた位置に配置されている。本実施形態では、フランジ部２１３ｂに配置させた計測部３４０を例示している。さらに、ダウンライト２００を店舗１１の天井１５に埋め込み固定した状態で、計測手段３４０が売場空間１２に露出するようにしている。
【００９３】
［照明装置の機能構成］
次に、図１１を参照して、照明装置（スポットライト１００およびダウンライト２００）の機能構成について説明する。ここで、図１１は、照明装置のブロック図である。なお、図１１に示すスペクトルは、横軸が波長、縦軸が波長の強度となっている。
【００９４】
照明装置（スポットライト１００およびダウンライト２００）は、図１１に示すように、記憶部３１０と、演算部３２０と、制御部３３０と、計測部３４０と、を備えている。
【００９５】
記憶部３１０は、オフセット用の所望のスペクトルのデータを格納するものである。本実施形態では、記憶部３１０は、周辺空間の光環境の基準となる基準スペクトル３５０のデータおよび照射される光Ｌ１のスペクトル（照射スペクトル）の基準となる基準照射スペクトル３６０のデータを、所望のスペクトルのデータとして記憶している。ここで、基準スペクトル３５０とは、照明装置の周辺環境を所定の光環境となるようにした場合における当該周辺空間のスペクトルのことである。一方、基準照射スペクトル３６０とは、照明装置の周辺環境を所定の光環境（基準スペクトル３５０で照らされた空間）となるようにした状態で、より適した光Ｌ１が照明装置から照射されるようにした場合における光Ｌ１のスペクトルのことである。
【００９６】
例えば、スポットライト１００の場合、売場空間（周辺空間）１２を昼光色の照明装置で照らした際に、商品（対象物）１４の見え方がより適した見え方となるように光Ｌ１を照射させる状態を基準とすることができる。この場合、スポットライト１００の周辺空間の光環境の基準となる基準スペクトル３５０は、昼光色のスペクトルとなる。また、スポットライト１００から照射される光Ｌ１のスペクトルの基準となる基準照射スペクトル３６０は、昼光色の光環境において商品（対象物）１４をより適した見え方となるようにすることのできる光Ｌ１のスペクトル（照射スペクトル）となる。この基準照射スペクトル３６０は、スポットライト１００が照射する商品（対象物）１４の種類や色に応じて適宜設定されるものである。なお、スポットライト１００の周辺空間の光環境の基準を昼光色とする必要はなく、様々な光環境を基準とすることができる。この場合、基準として設定した光環境において照らす商品１４がより適した見え方となる光Ｌ１のスペクトルを基準照射スペクトル３６０とすることとなる。
【００９７】
一方、ダウンライト２００の場合、照射される空間（売場空間１２）を所望の光環境（色味や明るさなど）とした場合における当該空間のスペクトルが基準スペクトル３５０となる。そして、空間のスペクトルを基準スペクトル３５０とするのに好ましい光Ｌ１のスペクトルが基準照射スペクトル３６０となる。なお、ダウンライト２００の場合、基準スペクトル３５０と基準照射スペクトル３６０とを同一のスペクトルとすることもできる。この場合、基準スペクトル３５０のみを記憶部３１０に記憶させることもできる。
【００９８】
演算部３２０は、計測部３４０によって計測された本体部１２０，２１０の周辺環境のスペクトルのデータおよび所望のスペクトルのデータに基づいて演算スペクトル３８０を演算するものである。すなわち、演算部３２０は、計測スペクトル３７０および所望のスペクトル（基準スペクトル３５０および／または基準照射スペクトル３６０）に基づいて演算スペクトル３８０を演算している。なお、具体的な演算方法については後述する。
【００９９】
制御部３３０は、照射口１２２，２１３ｄから照射される光Ｌ１のスペクトル（照射スペクトル）を演算スペクトル３８０に近づけるように制御するものである。具体的には、制御部３３０が、上述したフィルタの重複面積や発光形態の異なる素子の発光強度等を調整することで、光Ｌ１のスペクトル（照射スペクトル）を演算スペクトル３８０に近づけるように調整している。
【０１００】
計測部３４０は、上述したように、照射口１２２，２１３ｄから照射される光Ｌ１の照射領域から外れた位置に配置されており、本体部１２０，２１０の周辺環境のスペクトルのデータを取得するものである。
【０１０１】
そして、このような機能を有する照明装置（スポットライト１００およびダウンライト２００）とすることで、調整されたスペクトル（照射スペクトル）の光Ｌ１が自動的に照射口１２２，２１３ｄから照射されるようにしている。
【０１０２】
［照明装置から照射される光の制御処理の一例］
次に、照明装置から照射される光の制御処理の一例を図１２に基づき説明する。
【０１０３】
ここで、図１２は、照明装置から照射される光の制御処理の一例を示すフローチャートである。
【０１０４】
まず、所望のスペクトルを記憶部３１０に記憶させる（Ｓ１１）。
【０１０５】
具体的には、基準スペクトル３５０および／または基準照射スペクトル３６０を記憶部３１０に記憶させる。
【０１０６】
そして、ステップＳ１１により所望のスペクトルを記憶部３１０に記憶させた照明装置の電源をオンにする（Ｓ１２）。
【０１０７】
このように、照明装置の電源をオンにすると、計測部３４０が、照明装置の周辺空間のスペクトル（計測スペクトル３７０）のデータを取得する（Ｓ１３）。この計測部３４０による計測スペクトル３７０の計測は、照明装置の電源をオンにしてすぐに行われるようにしてもよいし、所定時間経過後（例えば、周辺の光環境が比較的安定した状態となるのに必要な時間の経過後）に行われるようにしてもよい。
【０１０８】
次に、演算部３２０が、計測部３４０によって計測された本体部１２０，２１０の周辺環境のスペクトルのデータおよび所望のスペクトルのデータに基づいて演算スペクトル３８０を演算する（Ｓ１４）。
【０１０９】
具体的には、スポットライト１００の場合、演算スペクトル３８０は、下記の式により算出される。
【０１１０】
（計測スペクトル−基準スペクトル）＋基準照射スペクトル＝演算スペクトル
すなわち、演算部３２０は、計測スペクトル３７０と基準スペクトル３５０との差分スペクトルを基準照射スペクトル３６０に加算することで演算スペクトル３８０を算出している。なお、差分スペクトルとは、波長ごとに計測スペクトル３７０から基準スペクトル３５０を減算することで得られるスペクトルのことである。
【０１１１】
一方、ダウンライト２００の場合、演算スペクトル３８０は、下記の式により算出される。
【０１１２】
（基準スペクトル−計測スペクトル）＋基準照射スペクトル＝演算スペクトル
すなわち、演算部３２０は、計測スペクトル３７０の基準スペクトル３５０に対するずれを差分スペクトルとし、この差分スペクトルを基準照射スペクトル３６０に加算することで演算スペクトル３８０を算出している。なお、基準スペクトル３５０と基準照射スペクトル３６０とが同一の場合、差分スペクトルを基準スペクトル３５０に加算することで演算スペクトル３８０が演算されることとなる。
【０１１３】
次に、制御部３３０が、演算部３２０によって演算された演算スペクトル３８０をベースに、照射口１２２，２１３ｄから照射される光Ｌ１のスペクトル（照射スペクトル）を調整する（Ｓ１５）。
【０１１４】
具体的には、制御部３３０が、照射口１２２，２１３ｄから照射される光Ｌ１のスペクトル（照射スペクトル）を演算スペクトル３８０に近づけるように制御する。このとき、制御部３３０は、上述したフィルタの重複面積や発光形態の異なる素子の発光強度等を調整することで、光Ｌ１のスペクトル（照射スペクトル）を演算スペクトル３８０に近づけるように調整している。
【０１１５】
そして、制御部３３０によって調整されたスペクトルの光Ｌ１が照明装置の照射口１２２，２１３ｄから照射される（Ｓ１６）。
【０１１６】
なお、調整されたスペクトルの光Ｌ１を照明装置の照射口１２２，２１３ｄから照射するようにしたら、照明装置から照射される光の制御処理は終了する。
【０１１７】
このような制御処理を行うことで、照明装置からは、下記のような光Ｌ１が照射される。
【０１１８】
例えば、スポットライト１００の周辺空間の計測スペクトル３７０が、基準スペクトル３５０よりも赤色系の波長成分の強度が高い場合、スポットライト１００からは、基準照射スペクトル３６０よりも赤色系の波長成分の強度が高い光Ｌ１が照射される。
【０１１９】
すなわち、赤味を帯びた売場空間１２で赤色の商品１４をスポットライト１００で照らす場合、赤色の商品１４は、基準照射スペクトル３６０よりも赤色系の波長成分の強度が高い光Ｌ１で照らされることになる。こうすることで、赤味を帯びた売場空間１２において赤色の商品１４がぼやけてしまうのが抑制され、商品１４が赤色であることをよりはっきりと視認することができるようになる。
【０１２０】
一方、スポットライト１００の周辺空間の計測スペクトル３７０が、基準スペクトル３５０よりも赤色系の波長成分の強度が低い場合、スポットライト１００からは、基準照射スペクトル３６０よりも赤色系の波長成分の強度が低い光Ｌ１が照射される。
【０１２１】
なお、光Ｌ１から照射されるスペクトル（照射スペクトル）の他の色の波長成分についても同様のことが行われる。
【０１２２】
また、例えば、外光の影響等により、ダウンライト２００の周辺空間の計測スペクトル３７０が、基準スペクトル３５０からずれた場合、ダウンライト２００からは、このずれをなくすような光Ｌ１が照射される。例えば、赤味を帯びた売場空間１２に外光が射し込んで、赤味が薄れてしまう場合には、基準照射スペクトル３６０よりも赤色系の波長成分の強度が高い光Ｌ１を照射させることになる。逆に、売場空間１２の赤味が濃くなってしまった場合には、基準照射スペクトル３６０よりも赤色系の波長成分の強度が低い光Ｌ１を照射させることになる。こうすることで、赤味を帯びた売場空間１２が維持されるようにしている。なお、他の波長成分についても同様である。
【０１２３】
［スポットライトから照射される光の制御処理の変形例］
図１２には、照明装置の電源をオンにした際に一度だけ光Ｌ１のスペクトル（照射スペクトル）を自動調整するものを例示したが、これに限られるものではなく、図１３や図１４に示す制御処理とすることもできる。
【０１２４】
ここで、図１３は、照明装置の制御処理の第１変形例を示すフローチャート、図１４は、照明装置の制御処理の第２変形例を示すフローチャートである。なお、具体的な計測方法や演算方法は、基本的には図１２で説明した方法と同一である。
【０１２５】
図１３には、照明装置の電源をオンにした場合に、時々刻々と連続して光Ｌ１のスペクトル（照射スペクトル）を自動調整する制御処理の一例を示している。
【０１２６】
まず、所望のスペクトルを記憶部３１０に記憶させる（Ｓ２１）。
【０１２７】
そして、ステップＳ２１により所望のスペクトルを記憶部３１０に記憶させた照明装置の電源をオンにする（Ｓ２２）。
【０１２８】
このように、照明装置の電源をオンにすると、計測部３４０が、照明装置の周辺空間のスペクトル（計測スペクトル３７０）のデータを取得する（Ｓ２３）。
【０１２９】
次に、演算部３２０が、計測部３４０によって計測された本体部１２０，２１０の周辺環境のスペクトルのデータおよび所望のスペクトルのデータに基づいて演算スペクトル３８０を演算する（Ｓ２４）。
【０１３０】
次に、制御部３３０が、演算部３２０によって演算された演算スペクトル３８０をベースに、照射口１２２，２１３ｄから照射される光Ｌ１のスペクトル（照射スペクトル）を調整する（Ｓ２５）。
【０１３１】
そして、制御部３３０によって調整されたスペクトルの光Ｌ１が照明装置の照射口１２２，２１３ｄから照射される（Ｓ２６）。
【０１３２】
さらに、図１３では、電源がオンになっている状態では、上記ステップＳ２３からステップＳ２６までの制御が繰り返し行われる。
【０１３３】
こうして、時々刻々と連続して光Ｌ１のスペクトル（照射スペクトル）が自動調整される。
【０１３４】
なお、図１３に示す制御処理は、例えば、電源をオフにすることで終了する。
【０１３５】
また、図１４には、照明装置の電源をオンにした状態で、所定の時間になったら光Ｌ１のスペクトル（照射スペクトル）を自動調整する制御処理の一例を示している。図１４には、時刻が６時、１２時、１７時のときに、光Ｌ１のスペクトル（照射スペクトル）を自動調整するようにしたものを例示している。
【０１３６】
まず、所望のスペクトルを記憶部３１０に記憶させる（Ｓ３１）。
【０１３７】
そして、ステップＳ３１により所望のスペクトルを記憶部３１０に記憶させた照明装置の電源をオンにする（Ｓ３２）。
【０１３８】
このように、照明装置の電源をオンにすると、時刻が、例えば６時や１２時等予め設定された時刻であるかが判定される（Ｓ３３）。
【０１３９】
そして、ステップＳ３３で「Ｙｅｓ」と判定された場合には、ステップＳ３４に移行する。
【０１４０】
すなわち、計測部３４０が、照明装置の周辺空間のスペクトル（計測スペクトル３７０）のデータを取得する（Ｓ３４）。
【０１４１】
次に、演算部３２０が、計測部３４０によって計測された本体部１２０，２１０の周辺環境のスペクトルのデータおよび所望のスペクトルのデータに基づいて演算スペクトル３８０を演算する（Ｓ３５）。
【０１４２】
次に、制御部３３０が、演算部３２０によって演算された演算スペクトル３８０をベースに、照射口１２２，２１３ｄから照射される光Ｌ１のスペクトル（照射スペクトル）を調整する（Ｓ３６）。
【０１４３】
そして、制御部３３０によって調整されたスペクトルの光Ｌ１が照明装置の照射口１２２，２１３ｄから照射される（Ｓ３７）。
【０１４４】
一方、ステップＳ３３で「Ｎｏ」と判定された場合には、ステップＳ３７に移行し、調整されたスペクトルの光Ｌ１を照射する。なお、電源をオンにした際の最初の制御では、初期状態のスペクトルの光Ｌ１や電源をオフにする際に調整されていた光Ｌ１が照射されることになる。
【０１４５】
こうして、所定の時間になったら光Ｌ１のスペクトル（照射スペクトル）が自動調整されるようにしている。
【０１４６】
この図１４に示す制御処理も、例えば、電源をオフにすることで終了する。
【０１４７】
なお、図１４に示す制御処理を行う場合、照明装置が時計等の時刻を認識することのできる手段を備えるようにするのが好ましい。
【０１４８】
また、照明装置がタイマーを備えるようにし、所定の間隔で光Ｌ１のスペクトル（照射スペクトル）が自動調整されるようにしてもよい。
【０１４９】
［作用、効果］
以上説明したように、本実施形態にかかる照明装置（スポットライト１００およびダウンライト２００）は、光源部１３０，２２０を備えている。また、光源部１３０，２２０からの光を外部に照射する照射口１２２，２１３ｄを有し、光源部１３０，２２０が収容される本体部１２０，２１０を備えている。また、照射口１２２，２１３ｄから照射される光の照射領域から外れた位置に配置され、本体部１２０，２１０の周辺空間の計測スペクトル３７０のデータを取得する計測部３４０を備えている。また、所望のスペクトル３５０，３６０のデータを格納する記憶部３１０と、計測スペクトル３７０のデータおよび所望のスペクトル３５０，３６０のデータに基づいて演算スペクトル３８０を演算する演算部３２０と、を備えている。そして、照射口１２２，２１３ｄから照射される光Ｌ１のスペクトルを演算スペクトル３８０に近づけるように制御する制御部３３０を備えている。
【０１５０】
また、本実施形態では、上述した照明装置を複数備えることで照明システム１０を構成している。
【０１５１】
こうすれば、周辺空間のスペクトルが変化した場合であっても、光Ｌ１が照射される空間（売場空間１２）や対象物（商品１４）の見え方を所望の見え方に近い状態で維持することが可能な照明装置１００，２００および照明システム１０を得ることができる。
【０１５２】
ところで、隣り合う照明装置の光源部から照射される光が互いの周辺空間に及ぼしあった場合、各照明装置から照射される光のスペクトルの値が一定値に定まらなくなるおそれがある。そして、この場合には、空間（売場空間１２）や対象物（商品１４）の見え方を所望の見え方に近い状態で維持することができなくなってしまう。
【０１５３】
しかしながら、本実施形態では、制御部３３０が、照射口１２２，２１３ｄから照射される光Ｌ１のスペクトルの強度が所定の閾値の範囲に収まるように制御している。そのため、照射口１２２，２１３ｄから照射される光Ｌ１のスペクトルの強度が高くなりすぎたり、低くなりすぎたりすることがなくなる。その結果、空間（売場空間１２）や対象物（商品１４）が違和感を覚える見え方となってしまうのが抑制されて、より確実に所望の見え方に近い状態で維持することができるようになる。
【０１５４】
なお、所定の閾値を設定した場合、演算スペクトル３８０の少なくとも一部の波長の強度が所定の閾値を超えたとしても、制御部３３０は、所定の閾値の範囲内で、照射される光Ｌ１のスペクトルを演算スペクトル３８０に近づけるように調整することになる。
【０１５５】
また、照射口１２２，２１３ｄから照射される光Ｌ１のスペクトルの制御を行う際に、フィルタ１６０を用いるようにしてもよい。
【０１５６】
こうすれば、より簡素な構成で、光Ｌ１のスペクトルの制御を行うことができるようになる。
【０１５７】
また、フィルタを複数備えるようにしてもよい。
【０１５８】
こうすれば、光Ｌ１のスペクトルの制御をより高精度に行うことができるようになる。
【０１５９】
また、照射口１２２，２１３ｄから照射される光Ｌ１のスペクトルの制御を行う際に、発光形態の異なる複数の発光素子を用いるようにしてもよい。
【０１６０】
こうすれば、より簡素な構成で、光Ｌ１のスペクトルの制御を行うことができるようになる。また、光Ｌ１のスペクトルの制御をより高精度に行うことができるようになる。
【０１６１】
以上、本開示の好適な実施形態について説明したが、本開示は上記実施形態には限定されず、種々の変形が可能である。
【０１６２】
例えば、上記実施形態では、照射口１２２，２１３ｄの形状を円形としたものを例示したが、照射口１２２、２１３ｄの形状は、矩形や、その他の多角形であってもよい。
【０１６３】
また、上記実施形態では、照明装置としてスポットライト１００およびダウンライト２００を例示したが、スクエアベースライト等の他の埋込型照明装置やシーリングライト等の他の照明装置とすることも可能である。また、照明装置の設置場所や用途も上述した場所や用途に限られるものではない。
【０１６４】
また、上記実施形態では、発光モジュールとしてＣＯＢ構造の発光モジュールを例示したが、ＳＭＤ(Surface Mount Device)型であってもよい。
【０１６５】
また、上記実施形態では、発光モジュールの発光素子としてＬＥＤを用いたものを例示したが、半導体レーザ等の半導体発光素子、有機ＥＬ(Electro Luminescence)または無機ＥＬ等の固体発光素子を用いてもよい。
【０１６６】
また、上記実施形態では、スポットライト１００およびダウンライト２００のそれぞれが、光Ｌ１のスペクトルを自動で制御する照明システム１０を例示したが、照明システムはこれに限定されるものではない。例えば、スポットライト１００およびダウンライト２００のうちいずれか一方のライトのみが光Ｌ１のスペクトルを自動で制御するようにし、光Ｌ１のスペクトルを自動で制御する方のライトを複数備えることで照明システムを構成してもよい。
【０１６７】
また、上記実施形態では、各照明装置に制御部等が設けられたもの（内蔵されたもの）を例示したが、各照明装置の制御部等を備える制御装置を設け、その制御装置によって各照明装置の制御が行われるようにしてもよい。また、各照明装置の制御部等が設けられた制御装置を備える照明システムとすることも可能である。
【０１６８】
また、上記実施形態では、照明システムとして、スーパーマーケット等の店舗の売場空間を照らす照明装置と、売場空間に配置された商品を照らす照明装置と、を備えるものを例示している。すなわち、スーパーマーケット等の店舗に照明システムを構成したものを例示している。しかしながら、照明システムを構成する場所は、様々な場所とすることができる。例えば、家庭用の照明システムに本開示を適用したり、博物館や美術館などに本開示を適用したりすることも可能である。
【０１６９】
また、光源部や本体部、その他細部のスペック（形状、大きさ、レイアウト等）も適宜に変更可能である。
【符号の説明】
【０１７０】
１０  照明システム
１２  売場空間（空間）
１４  商品（対象物）
１００  スポットライト（照明装置）
１２０  筐体（本体部）
１２２  照射口
１３０  発光モジュール（光源部）
１６０  フィルタ
２００  ダウンライト（照明装置）
２１０  本体部
２１３ｄ  照射口
２２０  光源部
３１０  記憶部
３２０  演算部
３３０  制御部
３４０  計測部
３５０  基準スペクトル（所望のスペクトル）
３６０  基準照射スペクトル（所望のスペクトル）
３７０  計測スペクトル
３８０  演算スペクトル
Ｌ１  光
【図１】
2019160424.tif 000003
【図２】
2019160424.tif 000004
【図３】
2019160424.tif 000005
【図４】
2019160424.tif 000006
【図５】
2019160424.tif 000007
【図６】
2019160424.tif 000008
【図７】
2019160424.tif 000009
【図８】
2019160424.tif 000010
【図９】
2019160424.tif 000011
【図１０】
2019160424.tif 000012
【図１１】
2019160424.tif 000013
【図１２】
2019160424.tif 000014
【図１３】
2019160424.tif 000015
【図１４】
2019160424.tif 000016